(57)【要約】【課題】複数の部品をアンテナへの受信ノイズの影響を低減して外装ケース内の限られた狭いスペースに効率的に配置することができる電波修正時計を提供する。【解決手段】電波修正時計において、巻真２６の近傍に、秒針と分針を駆動するための駆動頻度が一番高い第２モータ２４ｂと電池２７が配置されるとともに、外装ケース２の中心部に対して巻真２６と対向側にアンテナ２１が配置され、第２モータ２４ｂと電池２７とアンテナ２１とで囲まれる領域内及び該領域の周囲近傍に、第１〜第４の各輪列２５ａ，２５ｂ，２５ｃ，２５ｄと第２モータ２４ｂ以外の第１、第３、第４の各モータ２４ａ，２４ｃ，２４ｄが配置される。【選択図】図２
2010203782.tif 000002
【特許請求の範囲】
【請求項１】
外装ケース内に、標準電波を受信するアンテナと、少なくとも秒針を含む複数の指針を駆動するための複数のモータと、前記各モータにより駆動され前記各指針をそれぞれ運針する複数の輪列と、前記各モータの駆動源としての電池と、前記外装ケースの外側に突出している竜頭に連結されている巻真と、を備えた電波修正時計において、
前記巻真の近傍に、少なくとも秒針を駆動するための駆動頻度が一番高い秒針駆動用のモータと前記電池が配置されるとともに、前記外装ケースの中心部に対して前記巻真と対向側に前記アンテナが配置され、
前記秒針駆動用のモータと前記電池と前記アンテナとで囲まれる領域内及び該領域の周囲近傍に、前記各輪列と前記秒針駆動用のモータ以外の他のモータが配置されることを特徴とする電波修正時計。
【請求項２】
前記アンテナで受信した標準電波信号をアナログ信号処理により少なくとも増幅、復調を行う受信回路と、前記受信回路からの出力信号を入力するとともに、デジタル信号処理により前記各モータを駆動制御して前記各指針を運針制御する制御回路とを更に有し、
前記外装ケースの中心部を通り前記巻真と前記アンテナと結ぶ直線に対して、直交方向の前記外装ケース内の両端側に前記受信回路と前記制御回路がそれぞれ位置するように配置されることを特徴とする請求項１に記載の電波修正時計。
【請求項３】
前記秒針駆動用のモータ以外の前記他のモータには、特定の機能を前記各指針のうちの所定の指針又は表示板で表示するための駆動頻度の小さい機能モータが含まれており、前記機能モータは、前記アンテナが標準電波を受信している受信中においては駆動が停止されることを特徴とする請求項１又は２に記載の電波修正時計。
【請求項４】
前記機能モータの駆動により前記所定の指針又は前記表示板で表示される特定の機能は、クロノグラフ、電波送信局表示、電池残量表示、アラーム時刻、日付、電波受信状況、水深計測表示、高度計測表示のうちのいずれか１つ以上であることを特徴とする請求項３に記載の電波修正時計。
【請求項５】
電子音を発生する電子音発生部を有し、前記電子音発生部が前記受信回路近傍に配置されることを特徴とする請求項２に記載の電波修正時計。
【請求項６】
前記外装ケースは金属製であり、前記制御回路に近接する前記外装ケースの内側対向部分に、凹状の切欠き部が形成されていることを特徴とする請求項１乃至５のいずれか一項に記載の電波修正時計。
【発明の詳細な説明】
【技術分野】
【０００１】
本発明は、標準電波（標準時刻情報信号）を受信して表示時刻を修正する電波修正時計に関し、特に複数の指針等を駆動するための複数のモータ、輪列などを有する電波修正時計に関する。
【背景技術】
【０００２】
標準電波を受信して表示時刻を修正する電波修正時計において、近年、電波修正時計の多機能化にともない、例えばクロノグラフ機能などを有しているものが知られている。
【０００３】
電波修正時計は、電波を受信するアンテナ、時刻系輪列、運針用の複数のモータ、計時用回路、電波受信用回路、電池等が外装ケース内に配置されているが、クロノグラフ機能などを有する電波修正時計では、クロノグラフ系輪列、クロノグラフ指針用の複数のモータなどを更に配置する必要がある。このため、特に腕時計タイプの電波修正時計にクロノグラフ機能などを有している場合には、これらの複数の部品を外装ケース内の限られた狭いスペースに配置する必要がある。
【０００４】
クロノグラフ機能などを有する電波修正時計における各部品の配置構成として、例えば、特許文献１の発明では、アンテナから駆動頻度の高い秒針モータを最も遠く離れた位置に配置し、秒針モータの駆動による電波障害の影響を低減してアンテナの受信性能を確保するようにしている。
【先行技術文献】
【特許文献】
【０００５】
【特許文献１】特開２００７−１２１０７６号公報
【発明の概要】
【発明が解決しようとする課題】
【０００６】
ところで、クロノグラフ機能などを有する電波修正時計では、前記特許文献１のようにアンテナと秒針モータの配置の位置関係はアンテナの受信性能を確保するうえで重要であるが、他の複数の部品（時刻系輪列、運針用の複数のモータ、計時用回路、電波受信用回路、電池、クロノグラフ系輪列、クロノグラフ指針用の複数のモータなど）間の配置の位置関係も、アンテナへの受信ノイズの影響を低減して外装ケース内の限られた狭いスペースに効率的に配置するために重要な課題となっている。
【０００７】
そこで、本発明は、アンテナへの受信ノイズの影響を低減して複数の部品を外装ケース内の限られた狭いスペースに効率的に配置することができる電波修正時計を提供することを目的とする。
【課題を解決するための手段】
【０００８】
前記目的を達成するために請求項１に記載の発明は、外装ケース内に、標準電波を受信するアンテナと、少なくとも秒針を含む複数の指針を駆動するための複数のモータと、前記各モータにより駆動され前記各指針をそれぞれ運針する複数の輪列と、前記各モータの駆動源としての電池と、前記外装ケースの外側に突出している竜頭に連結されている巻真と、を備えた電波修正時計において、前記巻真の近傍に、少なくとも秒針を駆動するための駆動頻度が一番高い秒針駆動用のモータと前記電池が配置されるとともに、前記外装ケースの中心部に対して前記巻真と対向側に前記アンテナが配置され、前記秒針駆動用のモータと前記電池と前記アンテナとで囲まれる領域内及び該領域の周囲近傍に、前記各輪列と前記秒針駆動用のモータ以外の他のモータが配置されることを特徴としている。
【０００９】
請求項２に記載の発明は、前記アンテナで受信した標準電波信号をアナログ信号処理により少なくとも増幅、復調を行う受信回路と、前記受信回路からの出力信号を入力するとともに、デジタル信号処理により前記各モータを駆動制御して前記各指針を運針制御する制御回路とを更に有し、前記外装ケースの中心部を通り前記巻真と前記アンテナと結ぶ直線に対して直交方向の前記外装ケース内の両端側に、前記受信回路と前記制御回路がそれぞれ位置するように配置されることを特徴としている。
【００１０】
請求項３に記載の発明は、前記秒針駆動用のモータ以外の前記他のモータには、特定の機能を前記各指針のうちの所定の指針又は表示板で表示するための駆動頻度の小さい機能モータが含まれており、前記機能モータは、前記アンテナが標準電波を受信している受信中においては駆動が停止されることを特徴としている。
【００１１】
請求項４に記載の発明は、前記機能モータの駆動により前記所定の指針又は前記表示板で表示される特定の機能は、クロノグラフ、電波送信局表示、電池残量表示、アラーム時刻、日付、電波受信状況、水深計測表示、高度計測表示のうちのいずれか１つ以上であることを特徴としている。
【００１２】
請求項５に記載の発明は、電子音を発生する電子音発生部を有し、前記電子音発生部が前記受信回路近傍に配置されることを特徴としている。
【００１３】
請求項６に記載の発明は、前記外装ケースは金属製であり、前記制御回路に近接する前記外装ケースの内側対向部分に、凹状の切欠き部が形成されていることを特徴としている。
【発明の効果】
【００１４】
本発明に係る電波修正時計によれば、巻真の近傍に、少なくとも秒針を駆動するための秒針駆動用のモータと電池が配置されるとともに、外装ケースの中心部に対して巻真と対向側にアンテナが配置され、秒針駆動用のモータと電池と前記アンテナとで囲まれる領域内及び該領域の周囲近傍に、各輪列と前記秒針駆動用のモータ以外の他のモータが配置されることにより、アンテナを、駆動頻度が一番高い秒針駆動用のモータ、及び大きな金属部品としての電池から最大限に離すことができる。これにより、アンテナが標準電波を受信するときに、秒針駆動用のモータから発せられる電磁ノイズの影響を最小限に抑えることができ、かつ電池による電波受信の影響を最小限に抑えることができる。
【図面の簡単な説明】
【００１５】
【図１】本発明の実施形態に係る電波修正時計の表面側（文字板側）を示す平面図。
【図２】本発明の実施形態に係る電波修正時計の主要構成部品の配置位置を示す平面図。
【図３】日車とワールドタイム表示用の地域表示板を示した平面図。
【図４】外装ケース内側の制御回路付近を示す概略断面図。
【発明を実施するための形態】
【００１６】
以下、本発明を図示の実施形態に基づいて説明する。図１は、本発明の実施形態に係る電波修正時計の表面側（文字板側）を示す平面図、図２は、この電波修正時計の外装ケース内に配置される主要構成部品の配置位置を示す平面図である。なお、本実施形態における電波修正時計は、指針（時針、分針、秒針）で時刻を表示するととともに、クロノグラフ機能及び他の機能情報（日付、都市名、電波送信地域、電池残量など）を表示する機能を有する腕時計タイプの例である。
【００１７】
図１に示すように、本実施形態に係る電波修正時計１は、金属製の外装ケース２の表面側に設けた風防ガラス（不図示）の内側に文字板３が設置されており、文字板３上の中心には時針４、分針５、クロノグラフ秒針６が同軸上に設置されている。なお、クロノグラフ秒針６は、例えば、１／５秒クロノグラフ針である。
【００１８】
また、文字板３上には、「２時」の位置に２４時針７を回転中心に設けた２４時表示部８、「６時」の位置に秒針９を回転中心に設けた秒表示部１０、「１０時」の位置にクロノグラフ分針１１を回転中心に設けたクロノグラフ６０分表示部１２、「４時」の位置に日車１３に表示された日付（図１では「２８」）、及び地域表示板１４上に表示された都市名（（図１では「ＮＹＣ（ニューヨーク市）」）が表示される表示窓１５が設置されている。
【００１９】
図３に示すように、文字板３の裏面側には、日車１３とワールドタイム表示用の地域表示板１４が回動自在に設置されており、文字板３の表示窓１５から時刻に対応した日付と任意に選択した都市名が表示される。地域表示板１４には、全世界の時差が異なる代表的な複数の都市名が円周上に沿って表示されている。なお、図３において、符号４０は、クロノグラフ分針１１が取り付けられるクロノグラフ分針用支軸、符号４１は、２４時針７が取り付けられる２４時針用支軸、符号４２は、秒針９が取り付けられる秒針用支軸である。
【００２０】
このように、本実施形態の電波修正時計１においては、日車１３と地域表示板１４に囲まれた非常に狭い表示領域に、２４時針７、秒針９、クロノグラフ分針１１の３本の小針による指針表示を行う必要が有り、必然的に輪列やモータが中央に集結することとなる。そのため、従来のクロノグラフ付き時計以上に部品配置を工夫する必要がある。
【００２１】
秒表示部１０には、秒目盛りとともに、標準電波（標準時刻情報信号）の送信局に対応したマーク１０ａ（図１では、「ＵＳＡ（北米）」、「ＪＰＮ（日本）」、「ＥＵＲ（欧州）」、「ＣＨＮ（中国）」）が表示されている。また、クロノグラフ６０分表示部１２の外周側には、電池残量を指示するための残量表示部１６が設置されている。
【００２２】
外装ケース２の「３時」側の外側面には、竜頭１７と２つの操作ボタン１８、１９が設置されている。この電波修正時計１では、例えば、手動による時刻修整や表示窓１５での都市名選択、アラーム時刻設定などは竜頭１７の回動操作によって行われ、クロノグラフ秒針６、クロノグラフ分針１１等を運針させるクロノグラフモード、標準電波強制受信動作、電池残量チェック動作、標準電波送信局の表示動作などは、操作ボタン１８、１９の押圧操作によって行われる。
【００２３】
秒針９は、通常時は一回転で６０秒を表示するように運針されるが、受信している標準電波の送信局（マーク１０ａ）を指針表示したい場合には、操作ボタン１８、１９の押圧操作により受信している送信局に対応したマーク１０ａの所定マーク位置（例えば、日本に居れば「ＪＰＮ」に秒針９が回動して指示表示する。
【００２４】
クロノグラフ分針１１は、クロノグラフモード時は一回転で６０分を表示するように運針されるが、電池残量を指針表示したい場合には、操作ボタン１８、１９の押圧操作により残量表示部１６の残量表示位置にクロノグラフ分針１１が回動して指示表示する。
【００２５】
外装ケース２の略リング状の内部には、図２に示すように、時計ムーブメント２０が前記文字板３と裏蓋（不図示）間に設置されている。図２は、時計ムーブメント２０を構成する主要部品のみを示したものであり、実際にはこれらの主要部品を含む他の部品等が地板（不図示）に保持されている。なお、図２は、図１に示した電波修正時計１の３時−９時方向の軸線を回転軸として１８０度回転させて、裏面側（裏蓋側）から見た主要部品の配置の位置関係のみを概略的に示したものである。図２において、外装ケース２の右側が「３時」側、外装ケース２の左側が「９時」側、外装ケース２の上側が「６時」側、外装ケース２の下側が「１２時」側である。
【００２６】
図２に示すように、時計ムーブメント２０は、アンテナ２１、受信回路（以下、「受信ＩＣ」という）２２、水晶振動子（不図示）を含む制御回路（以下、「制御ＩＣ」という）２３、第１〜第４の各モータ２４ａ，２４ｂ，２４ｃ，２４ｄ、第１〜第４の各輪列２５ａ，２５ｂ，２５ｃ，２５ｄ、竜頭１７の巻真１７ａに繋がるカンヌキなどの金属製の修正部材２６、及び電源としての電池２７を主要部品として有している。電池２７は、ソーラパネルで発電される電力を用いる構成の場合では電力を蓄電可能な二次電池であり、また、ソーラパネル発電でない場合は交換式の電池（ボタン型等の電池）である。
【００２７】
標準電波（標準時刻情報信号）を受信するアンテナ２１は「９時」位置付近に配置され、竜頭１７の回転力が伝達される修正部材２６は「３時」位置付近に配置されている。受信ＩＣ２２は、「６時」位置付近に配置され、制御ＩＣ２３は「１２時」位置付近に配置されている。電池２７は、修正部材２６と制御ＩＣ２３との間の「２時」位置付近に配置されている。
【００２８】
第１モータ２４ａは、第１輪列２５ａを介して時針４と２４時針７を駆動するモータであり、アンテナ２１と受信ＩＣ２２との間の中間付近の内側に配置されている。第２モータ２４ｂは、第２輪列２５ｂを介して秒針９と分針５を駆動するモータであり、受信ＩＣ２２と修正部材２６の間の中間付近（「４時」位置付近）の内側に配置されている。第３モータ２４ｃは、第３輪列２５ｃを介してクロノグラフ秒針６を駆動するモータであり、電池２７とアンテナ２１の間の中間付近（「１１時」位置付近）の内側に配置されている。第４モータ２４ｄは、第４輪列２５ｄを介してクロノグラフ分針１１と日車１３を駆動するモータであり、制御ＩＣ２３とアンテナ２１の間の中間付近（「１１時」位置付近で第３モータ２４ｃの外側）に配置されている。
【００２９】
第１〜第４の各モータ２４ａ，２４ｂ，２４ｃ，２４ｄはステップモータである。秒針９と分針５を駆動する第２モータ２４ｂは、毎秒ごとに１ステップ駆動し、時針４と２４時針７を駆動する第１モータ２４ａは、例えば数分ごとに１ステップ駆動する。クロノグラフ秒針６を駆動する第３モータ２４ｃは、通常の時刻表示時は停止しており、クロノグラフモード時のみに駆動する。クロノグラフ分針１１と日車１３を駆動する第４モータ２４ｄは、クロノグラフモード時に駆動する以外の通常の時刻表示時では日車１３を駆動するために例えば数時間ごとにステップ駆動する。
【００３０】
なお、図２では、第１〜第４の各輪列２５ａ，２５ｂ，２５ｃ，２５ｄをそれぞれ構成する複数の歯車列の一部を図示しているだけであり、実際はクロノグラフ２４時針７、秒針９、クロノグラフ分針１１の各指針軸まで歯車列が配置されている。また、第２モータ２４ｂの外側付近には、アラーム音などの電子音を発生させるブザー発生部２８が配置されている。
【００３１】
このように、外装ケース２の中心である時針４、分針５、クロノグラフ秒針６の指針軸２９を中心にして、「９時」位置付近のアンテナ２１と「２時」〜「４時」位置付近の電池２７、第２モータ２４ｂとが対向するように配置し、アンテナ２１を、駆動頻度が一番高い分針５、秒針９を駆動する第２モータ２４ｂと、大きな金属部品である電池２７から最大限に離すようにしている。
【００３２】
このように、アンテナ２１を９時位置に配置するのは、３時位置付近にカンヌキなどの修正部材２６が多く、大きな金属部品であるアンテナ２１を配置することがスペース的に難しいことと、修正部材２６や竜頭１７、操作ボタン１８、１９などの金属部品が多く、これらの金属部品による受信性能低下を防止するためである。９時位置にアンテナ２１を配置することにより、必然的に、アンテナ２１の次に大きな部品である第２モータ２４ｂ、電池２７をアンテナ２１の反対側の竜頭１７に配置することとなる。
【００３３】
このような配置により、大きな金属部品である電池２７と、駆動頻度が一番高く最大のノイズ源である第２モータ２４ｂをアンテナ２１から離すことも可能となり、結果的に受信性能の向上が可能となる。なお、秒針９を駆動する第２モータ２４ｂが最も大きいモータとなるのは、駆動頻度が高いので、低消費電力化達成のため抵抗値の低い太いコイル巻線が使用されるためである。
【００３４】
受信ＩＣ２２は、アンテナ２１で受信した標準電波を増幅、復調などのアナログ信号処理を行う回路である。制御ＩＣ２３はデジタル信号処理回路であり、内部時刻信号（基準時刻信号）に基づいて、例えば通常の時刻表示時には時針４、分針５、秒針９を駆動する第１モータ２４ａ、第２モータ２４ｂの駆動制御や、受信ＩＣ２２からの出力信号（標準時刻情報信号）と内部時刻信号（基準時刻信号）とを比較して時刻修整制御などの各種動作制御を行う回路である。
【００３５】
このように、外装ケース２の中心軸である時針４、分針５、クロノグラフ秒針６の指針軸２９を中心にして、「６時」位置付近の受信ＩＣ２２と「１２時」位置付近の制御ＩＣ２３とが対向するように配置し、受信ＩＣ２２と制御ＩＣ２３とを最大限に離すようにしている。
【００３６】
上述の如く、複数の輪列やモータ等の部品が中央側に集中し、かつ最大の部品であるアンテナ２１を「９時位置」に、次に大きな部品である第２モータ２４ｂと電池２７をそれぞれ「４時位置」と「２時位置」に配置したことにより、その次に大きな部品となる受信ＩＣ２２と制御ＩＣ２３は必然的に、スペースの空いている「６時位置」と「１２時位置」に配置することとなる。
【００３７】
ところで、アナログ回路である受信ＩＣ２２とデジタル回路である制御ＩＣ２３が近接配置されていると、お互いの動作がノイズとなって、両ＩＣの動作やアンテナ２１の電波受信に悪影響を及ぼす虞がある。そのため、本実施形態では、上記したように受信ＩＣ２２と制御ＩＣ２３が最大限に離れた位置に配置されるようにしているので、受信ＩＣ２２と制御ＩＣ２３がノイズの影響を受けることなく安定して動作し、かつアンテナ２１が安定して標準電波を受信することができる。
【００３８】
図４に示すように、基板３０上に実装された前記制御ＩＣ２３に近接する外装ケース２の内側対向部分には、凹状の切欠き部２ａが形成されており、制御ＩＣ２３を金属製の外装ケース２の対向する内面部分から離すようにしている。
【００３９】
図４において、符号３１は風防ガラス、符号３２は裏蓋、符号３３は主要部品（アンテナ２１、受信ＩＣ２２、制御ＩＣ２３、第１〜第４の各モータ２４ａ，２４ｂ，２４ｃ，２４ｄ、第１〜第４の各輪列２５ａ，２５ｂ，２５ｃ，２５ｄ、修正部材２６、電池２７など）を保持した地板である。なお、図４では、図３に示した日車１３と地域表示板１４は省略している。
【００４０】
上述のように、部品配置の制約上、受信ＩＣ２２と制御ＩＣ２３は時計ムーブメント２０の対向する外周側に配置されることにより、受信ＩＣ２２と制御ＩＣ２３は金属製の外装ケース２の内側近傍に位置するように配置される。このため、結果的に外部からの静電気が外装ケース２を介して受信ＩＣ２２と制御ＩＣ２３に飛び込むこととなり、電波修正時計１の誤動作の原因となる。
【００４１】
そのため、本実施形態では、図４に示したように、外装ケース２の内側に凹状の切欠き部２ａを設けることにより、特に、制御ＩＣ２３を金属製の外装ケース２の対向する内面部分から離すようにしている。これにより、外部からの静電気が外装ケース２を介して制御ＩＣ２３に飛び込むことが低減され、電波修正時計１の静電気による誤動作を防止することが可能となる。なお、外装ケース２の受信ＩＣ２２付近の内面にも同様に凹状の切欠き部を形成してもよい。
【００４２】
切欠き部２ａのサイズは以下の条件のように規定される。切欠き部２ａの幅Ａは制御ＩＣ２３の幅Ｂ以上（Ａ＞Ｂ）であること、また、厚み方向の削り量Ｃに関しては制御ＩＣ２３の厚みtより厚いこと（Ｃ＞ｔ）が必須である。これは、前記した条件とは逆にＡ＜ＢやＣ＜ｔの場合においては、切欠き部２ａの端部から静電気が制御ＩＣ２３に飛び込みやすくなるからである。
【００４３】
なお、切欠き部２ａの径方向の掘り込み量Ｄについては、より深く掘り込まれている方がよいが、その量については、外装ケース２のサイズや材質、加工方法を加味し、強度や加工コストを踏まえて設定される。
【００４４】
なお、図４に示したように、制御ＩＣ２３に近接する金属製の外装ケー２スの内側対向部分に凹状の切欠き部２ａを形成することは、本実施形態のような電波修正時計に限らず、金属外装とＩＣを有する電子時計全体に適用可能である。ＩＣについても、ＣＰＵのような制御用ＩＣのみならず、ランダムロジックＩＣなどへの適用も有効である。
【００４５】
本実施形態に係る電波修正時計１は上記のように構成されており、通常の時刻表示動作時には、制御ＩＣ２３の制御により第１、第２モータ２４ａ，２４ｂが駆動され、第１、第２輪列２５ａ，２５ｂを介して時針４、２４時針７、分針５、秒針９が運針され、現時刻の表示が行われる。この際、所定時刻での通常の標準電波の受信時、あるいは強制受信操作による標準電波の受信時には、アンテナ２１で受信した標準電波は受信ＩＣ２２を介して制御ＩＣ２３に入力され、現時刻がずれていると判定した場合は、第２モータ２４ｂ等を駆動制御して時刻の修正が行われる。
【００４６】
操作ボタン１８、１９の押圧操作によるクロノグラフモード時には、制御ＩＣ２３の制御により第３、第４モータ２４ｃ，２４ｄが駆動され、第３、第４輪列２５ｃ，２５ｄを介してクロノグラフ秒針６、クロノグラフ分針１１が運針され、各指針によって経過時間が表示される。なお、アンテナ２１で標準電波の受信中の場合には、電磁ノイズの影響を最小限に抑えるために、制御ＩＣ２３によりクロノグラフモードが行われないように制御される。これにより、標準電波を受信中は第３、第４モータ２４ｃ，２４ｄの駆動は停止されるので、電磁ノイズの影響を抑えて標準電波を安定して受信することができる。
【００４７】
受信している標準電波の送信局（マーク１０ａ）を秒針９で指示表示したい場合には、操作ボタン１８、１９の押圧操作により受信している送信局に対応したマーク１０ａの所定マーク位置（「ＪＰＮ」（日本）、「ＥＵＲ」（ヨーロッパ）、「ＣＨＮ」（中国）、「ＵＳＡ」（北アメリカ）のいずれか）に秒針９が回動して指示される。
【００４８】
電池残量をクロノグラフ分針１１で指針表示したい場合には、操作ボタン１８、１９の押圧操作により残量表示部１６の残量表示位置にクロノグラフ分針１１が回動して指示される。なお、操作ボタン１８、１９の押圧操作後の、秒針９やクロノグラフ分針１１運針中には受信は実施されず、運針終了後に受信動作が開始される。
【００４９】
また、アラーム設定モードで、竜頭１７の回動操作により例えば時針４でアラーム時刻を設定して、アラーム時刻にブザー発生部２８よりアラームを発生させることができる。
【００５０】
なお、アンテナ２１で標準電波の受信中の場合には、電磁ノイズの影響を最小限に抑えるために、制御ＩＣ２３により前記した秒針９による標準電波の送信局（マーク１０ａ）の指示表示、クロノグラフ分針１１による電池残量の指針表示、ブザー発生部２８によるアラームの発生動作が行われないように制御される。これにより、標準電波を受信中はこれらの機能動作は停止されるので、第３、第４モータ２４ｃ，２４ｄやブザー発生部２８により発生する電磁ノイズの影響を抑えて標準電波を安定して受信することができる。
【００５１】
受信中にブザー発生部２８によるアラームの発生動作が行わないことにより、ブザー発生部２８を受信ＩＣ２２の近くに配置することが可能となり、アラーム機能付きの電波修正時計の部品配置の制約を少なくすることが可能となる。
【００５２】
また、受信中にクロノグラフ機能を有する第３、第４モータ２４ｃ，２４ｄを停止することで、ノイズを防ぎ受信性能を向上できる他、これらの機能モータをアンテナ２１や受信ＩＣ２２の近くに配置することが可能となり、クロノグラフ等の機能付き電波修正時計の部品配置の制約を少なくすることができる。なお、ＩＣの配置としては、受信ＩＣ２２と制御ＩＣ２３の位置を入れ替えて、受信ＩＣ２２を「１２時」位置に配置し、機能モータとしての第３、第４モータ２４ｃ，２４ｄを受信ＩＣ２２とアンテナ２１で挟む構成でもよい。
【００５３】
なお、受信ＩＣ２２に関しても、アンテナ２１と同様に第３、第４モータ２４ｃ，２４ｄの発生する電磁ノイズを受けると受信性能を低下させることとなるが、受信中に第３、第４モータ２４ｃ，２４ｄを停止させることで、第３、第４モータ２４ｃ，２４ｄの近傍にも受信ＩＣ２２を配置することができる。これにより、受信性能を下げることなく部品配置の制約を少なくすることが可能となる。更に、アンテナ２１と受信ＩＣ２２は、受信性能上近接して配置されることが好ましいので、近接配置されたアンテナ２１と受信ＩＣ２２の近くに、受信中停止するモータ（第３、第４モータ２４ｃ，２４ｄ）を配置することはより好ましい。
【００５４】
また、機能モータとしては、クロノグラフだけに限らず、タイマーや水深計測、高度計測など、受信中に停止している機能であればよい。また、日板などのカレンダーや受信感度状況、充電量表示、モード表示や、ＵＴＣ時刻などのワールドタイム時刻表示など、駆動頻度が低いモータに適用してもよい。
【００５５】
また、竜頭１７の回動操作により表示窓１５に地域表示板１４上の所定の都市名（図１では「ＮＹＣ（ニューヨーク市）」）を表示させると、制御ＩＣ２３の制御によりこの表示した都市名の時刻を表示するように第１モータ２４ａが駆動され、第１輪列２５ａを介して時針４、２４時針７が運針される。なお、時差帯により３０分単位の修正に対応する場合には、第２モータ２４ｂも運針される。
【００５６】
このように、本実施形態に係る電波修正時計１によれば、「９時」位置付近にアンテナ２１を配置するとともに、「２時」〜「４時」位置付近に電池２７、第２モータ２４ｂを配置し、クロノグラフ機能用のモータ（第３、第４モータ２４ｃ，２４ｄ）、輪列（第３、第４輪列２５ｃ，２５ｄ）等をその内側及び周囲に効率的に配置した構成により、アンテナ２１を、駆動頻度が一番高い秒針９、分針５を駆動する第２モータ２４ｂ、及び大きな金属部品としての電池２７から最大限に離すようにしている。これにより、アンテナ２１が標準電波を受信するときに、第２モータ２４ｂから発せられる電磁ノイズの影響を最小限に抑えることができ、かつ電池２７による電波受信の影響を最小限に抑えることができる。
【００５７】
また、「６時」位置付近にアナログ信号処理を行う受信ＩＣ２２を配置するとともに、「１２時」位置付近にデジタル信号処理を行う制御ＩＣ２３を配置し、受信ＩＣ２２と制御ＩＣ２３とを最大限に離すようにしている。これにより、受信ＩＣ２２と制御ＩＣ２３が最大限に離れるように効率的に分離されるので、それぞれの信号処理動作時にお互いに干渉するなどの悪影響を防止することができる。
【００５８】
更に、制御ＩＣ２３に近接する外装ケース２の内側対向部分に凹状の切欠き部２ａを形成したことにより、制御ＩＣ２３を外装ケース２の対向する内側部分から離すことができるので、金属製の外装ケース２に蓄積した静電気が放電した場合でも、放電ノイズの影響が制御ＩＣ２３に及ぶことを最小限に抑えることができる。
【００５９】
なお、前記電波修正時計１において、前記した機能情報以外にも、例えば、標準電波の受信感度状況、水深計測、高度計測などを分針５等で指針表示する機能を更に備えた構成でもよい。
【符号の説明】
【００６０】
１        電波修正時計
２        外装ケース
２ａ      凹状の切欠き部
３        文字板
４        時針
５        分針
６        クロノグラフ秒針
７        ２４時針
９        秒針
１１      クロノグラフ分針
１４      地域表示板
１７      竜頭
１７ａ    巻真
２０      時計ムーブメント
２１      アンテナ
２２      受信ＩＣ
２３      制御ＩＣ
２４ａ    第１モータ
２４ｂ    第２モータ（秒針駆動用のモータ）
２４ｃ，２４ｄ      第３、第４モータ（機能モータ）
２５ａ，２５ｂ，２５ｃ，２５ｄ      第１〜第４の各輪列
２６      修正部材
２７      電池
２８      ブザー発生部（電子音発生部）
【図１】
2010203782.tif 000003
【図２】
2010203782.tif 000004
【図３】
2010203782.tif 000005
【図４】
2010203782.tif 000006